【手続補正書】
【提出日】平成26年7月17日(2014.7.17)
【手続補正１】
【補正対象書類名】特許請求の範囲
【補正対象項目名】全文
【補正方法】変更
【補正の内容】
【特許請求の範囲】
【請求項１】
着色剤およびポリウレタン分散剤を含む水性顔料分散物であって、前記ポリウレタン分散剤が、
（ａ）水性分散部分であって、ポリマー骨格に懸垂し、かつ、ポリマー鎖の末端にあり、そして−ＣＯＯＭ、−ＯＰＯ3Ｍ2、−ＰＯ3Ｍ2、−ＳＯ3Ｍ、−（ＣＨ2ＣＨＲ5Ｏ）n−ＣＨ3、およびそれらの混合物からなる群から選択される前記分散部分と、
（ｂ）架橋剤で架橋される架橋性部分であって、前記ポリマー骨格に懸垂している前記架橋性部分と
を持ったポリマーからなり；
前記ポリウレタン分散剤が式Ｉ：
【化１】
2013536274.tif 000001
式中、各Ｘは独立して、−ＯＰＯ3Ｍ2、−ＰＯ3Ｍ2、−ＳＯ3Ｍまたは−（ＣＨ2ＣＨＲ5Ｏ）n−ＣＨ3であり；
各Ｍは独立して、Ｎａ、Ｋ、Ｌｉ、ＨまたはＮ（Ｒ6）4であり；
各Ｙは独立して、Ｏ、ＳまたはＮＲ4であり；
各Ｗは独立して、Ｎ、ＯまたはＳであり；
各Ｒ1は独立して、Ｃ1〜Ｃ20アルキル、Ｃ3〜Ｃ20置換アルキル、Ｃ6〜Ｃ40アリールまたはＣ9〜Ｃ40置換アリールであり；
Ｒ2は、二官能性イソシアネート反応剤Ｚ1およびＺ2、ならびに疎水性ポリオールＺ3からなり、ここで、少なくとも１つのＺ1、少なくとも１つのＺ2および少なくとも１つのＺ3が存在し；
各Ｒ3は独立して、Ｃ1〜Ｃ20アルキル、Ｃ3〜Ｃ20置換アルキルまたは直結合であり、ただしＲ3が直結合であるとき、Ｘは−（ＣＨ2ＣＨＲ5Ｏ）n−ＣＨ3であり；
各Ｒ4は独立して、−Ｒ3−Ｘ、Ｈ、Ｃ1〜Ｃ20アルキルまたはＣ3〜Ｃ20置換アルキルであり；
各Ｒ5は独立して、ＨまたはＣ1〜Ｃ12アルキルであり；
各Ｒ6は独立して、Ｈ、Ｃ1〜Ｃ20アルキル、Ｃ7〜Ｃ20アラルキルまたはＣ6〜Ｃ40アリールであり；
ｎは、２〜３０の整数であり；
Ｚ1は、水性分散部分で置換された二官能性イソシアネート反応剤であり；
Ｚ2は、１つ以上の架橋性部分で置換された二官能性イソシアネート反応剤であり；
Ｚ3は、３０００未満のＭＷの疎水性ポリオールである、
の一般構造の少なくとも１つの化合物を含む顔料分散物。
【請求項２】
前記架橋剤が、エポキシド、イソシアネート、カルボジイミド、Ｎ−メチロール、オキサゾリン、シラン、およびそれらの混合物からなる群から選択される１つ以上のメンバーである、請求項１に記載の顔料分散物。
【請求項３】
Ｚ1が、前記水性分散部分で置換されたジオールである、請求項２に記載の顔料分散物。
【請求項４】
Ｚ2が、１つ以上の架橋性部分で置換されたジオールである、請求項３に記載の顔料分散物。
【請求項５】
前記水性分散部分が、１つ以上のカルボキシル基からなる、請求項４に記載の顔料分散物。
【請求項６】
前記架橋性部分が、１つ以上のカルボキシル基からなる、請求項５に記載の顔料分散物。
【請求項７】
ＹがＮＲ4である、請求項６に記載の顔料分散物。
【請求項８】
各Ｘが−（ＣＨ2ＣＨＲ5Ｏ）n−ＣＨ3である、請求項２に記載の顔料分散物。
【請求項９】
各Ｘが−ＳＯ3Ｍである、請求項２に記載の顔料分散物。
【請求項１０】
水性インクビヒクルと請求項１〜９のいずれか一項に記載の水性顔料分散物とを含む水性インクジェットインク。
【手続補正２】
【補正対象書類名】明細書
【補正対象項目名】０１７８
【補正方法】変更
【補正の内容】
【０１７８】
下の表６にまとめられる結果は、被架橋顔料分散物を使って製造されたシアンおよびイエローインクが、未架橋顔料分散物を使って製造された相当するインクと比較してより良好な印刷信頼性を実証することを示した。被架橋顔料分散物を使って製造されたマゼンタインクは、未架橋相当品を使って製造されたものと比較してより不十分な印刷信頼性を示したが、それらは、プリントヘッドの難儀な目詰まりなしにジェット可能なままである。
本発明は以下の実施の態様を含むものである。
１．着色剤およびポリウレタン分散剤を含む水性顔料分散物物であって、前記ポリウレタン分散剤が、
（ａ）水性分散部分であって、ポリマー骨格に懸垂し、かつ、ポリマー鎖の末端にあり、そして−ＣＯＯＭ、−ＯＰＯ3Ｍ2、−ＰＯ3Ｍ2、−ＳＯ3Ｍ、−（ＣＨ2ＣＨＲ5Ｏ）n−ＣＨ3、およびそれらの混合物からなる群から選択される前記分散部分と、
（ｂ）架橋剤で架橋される架橋性部分であって、前記ポリマー骨格に懸垂している前記架橋性部分と
を持ったポリマーからなり；
前記ポリウレタン分散剤が式Ｉ：
【化４】
2013536274.tif 000002
式中、各Ｘは独立して、−ＯＰＯ3Ｍ2、−ＰＯ3Ｍ2、−ＳＯ3Ｍまたは−（ＣＨ2ＣＨＲ5Ｏ）n−ＣＨ3であり；
各Ｍは独立して、Ｎａ、Ｋ、Ｌｉ、ＨまたはＮ（Ｒ6）4であり；
各Ｙは独立して、Ｏ、ＳまたはＮＲ4であり；
各Ｗは独立して、Ｎ、ＯまたはＳであり；
各Ｒ1は独立して、Ｃ1〜Ｃ20アルキル、Ｃ3〜Ｃ20置換アルキル、Ｃ6〜Ｃ40アリールまたはＣ9〜Ｃ40置換アリールであり；
Ｒ2は、二官能性イソシアネート反応剤Ｚ1およびＺ2、ならびに疎水性ポリオールＺ3からなり、ここで、少なくとも１つのＺ1、少なくとも１つのＺ2および少なくとも１つのＺ3が存在し；
各Ｒ3は独立して、Ｃ1〜Ｃ20アルキル、Ｃ3〜Ｃ20置換アルキルまたは直結合であり、ただしＲ3が直結合であるとき、Ｘは−（ＣＨ2ＣＨＲ5Ｏ）n−ＣＨ3であり；
各Ｒ4は独立して、−Ｒ3−Ｘ、Ｈ、Ｃ1〜Ｃ20アルキルまたはＣ3〜Ｃ20置換アルキルであり；
各Ｒ5は独立して、ＨまたはＣ1〜Ｃ12アルキルであり；
各Ｒ6は独立して、Ｈ、Ｃ1〜Ｃ20アルキル、Ｃ7〜Ｃ20アラルキルまたはＣ6〜Ｃ40アリールであり；
ｎは、２〜３０の整数であり；
Ｚ1は、水性分散部分で置換された二官能性イソシアネート反応剤であり；
Ｚ2は、１つ以上の架橋性部分で置換された二官能性イソシアネート反応剤であり；
Ｚ3は、３０００未満のＭＷの疎水性ポリオールである、
の一般構造の少なくとも１つの化合物を含む顔料分散物。
２．前記架橋剤が、エポキシド、イソシアネート、カルボジイミド、Ｎ−メチロール、オキサゾリン、シラン、およびそれらの混合物からなる群から選択される１つ以上のメンバーである、前記１．に記載の顔料分散物。
３．Ｚ1が、前記水性分散部分で置換されたジオールである、前記２．に記載の顔料分散物。
４．Ｚ2が、１つ以上の架橋性部分で置換されたジオールである、前記３．に記載の顔料分散物。
５．前記水性分散部分が、１つ以上のカルボキシル基からなる、前記４．に記載の顔料分散物。
６．前記架橋性部分が、１つ以上のカルボキシル基からなる、前記５．に記載の顔料分散物。
７．ＹがＮＲ4である、前記６．に記載の顔料分散物。
８．各Ｘが−（ＣＨ2ＣＨＲ5Ｏ）n−ＣＨ3である、前記２．に記載の顔料分散物。
９．Ｚ1が、水性分散部分で置換されたジオールである、前記８．に記載の顔料分散物。
１０．Ｚ2が、１つ以上の架橋性部分で置換されたジオールである、前記９．に記載の顔料分散物。
１１．各Ｘが−ＳＯ3Ｍである、前記２．に記載の顔料分散物。
１２．Ｚ1が、前記水性分散部分で置換されたジオールである、前記１１．に記載の顔料分散物。
１３．Ｚ2が、１つ以上の架橋性部分で置換されたジオールである、前記１２．に記載の顔料分散物。
１４．ＹがＮＲ4である、前記２．に記載の顔料分散物。
１５．Ｚ1が前記水性分散部分で置換されたジオールである、前記１４．に記載の顔料分散物。
１６．Ｚ2が１つ以上の架橋性部分で置換されたジオールである、前記１５．に記載の顔料分散物。
１７．各ＹがＮＲ4であり、各Ｒ4が−Ｒ3−Ｘである、前記２．に記載の顔料分散物。
１８．各ＷがＯである、前記１７．に記載の顔料分散物。
１９．各ＷがＮである、前記１７．に記載の顔料分散物。
２０．前記架橋性部分対前記架橋剤のモル比が１５：１〜１：１．５である、前記２．に記載の顔料分散物。
２１．前記架橋性部分対前記架橋剤のモル比が９：１〜１：１．１である、前記２０．に記載の顔料分散物。
２２．前記架橋性部分対前記架橋剤のモル比が８：１〜１：１である、前記２１．に記載の顔料分散物。